(57)【要約】【課題】本発明は、小ノイズ・低消費電力型メモリと多ノイズ・高消費電力型メモリを使い分けて小ノイズで低消費電力のメモリ送信を実現するファクシミリ装置に関する。【解決手段】ファクシミリ装置１は、画像データを蓄積してから送信するまでの待ち時間に基づいて複数の蓄積手段７３、７４、７７の１つを選択して、当該選択した蓄積手段７３、７４、７７に画像データを蓄積し、待ち時間が経過してファクシミリ送信またはファクシミリ送信失敗して、蓄積手段７３、７４、の画像データを消去するときに、当該画像データを蓄積した蓄積手段が小ノイズ・低消費電力・小容量型メモリ７３、７４であると、スイッチ７５、７６をオフすることで、小ノイズ・低消費電力・小容量型メモリ７３、７４から画像データを消去する。したがって、画像データの蓄積時と消去時の双方で、より消費電力を削減することができるとともに、ノイズの発生を抑制することができる。【選択図】          図１
2006287854.tif 000002
【特許請求の範囲】
【請求項１】
画像データを蓄積手段に一旦蓄積した後、ファクシミリ送信するファクシミリ装置において、少なくとも、比較的発生ノイズ及び消費電力の少ない小ノイズ・少消費電力型蓄積手段を含む複数の蓄積手段と、当該小ノイズ・少消費電力型蓄積手段の画像データを比較的発生ノイズ及び消費電力を抑制して消去する小ノイズ・少消費電力型消去手段と、を備え、画像データを前記蓄積手段に蓄積してから送信するまでの待ち時間に基づいて当該複数の蓄積手段の１つを選択して、当該選択した蓄積手段に前記画像データを蓄積し、前記待ち時間が経過すると、前記蓄積手段の前記画像データをファクシミリ送信し、当該ファクシミリ送信が正常終了するか、必要に応じて所定回数の再送信を行った後に送信失敗で終了すると、当該蓄積手段の前記画像データを消去するとともに、当該画像データを蓄積した前記蓄積手段が前記小ノイズ・少消費電力型蓄積手段であると、前記小ノイズ・少消費電力型消去手段で当該小ノイズ・少消費電力型蓄積手段から前記画像データを消去することを特徴とするファクシミリ装置。
【請求項２】
前記ファクシミリ装置は、前記待ち時間に基づいて前記小ノイズ・少消費電力型蓄積手段以外の前記蓄積手段を選択すると、当該小ノイズ・少消費電力型蓄積手段以外の蓄積手段には、前記画像データのヘッダー部分を蓄積し、当該画像データの残り部分を前記小ノイズ・少消費電力型蓄積手段に蓄積し、当該小ノイズ・少消費電力型蓄積手段以外の蓄積手段の画像データのヘッダー部分と当該小ノイズ・少消費電力型蓄積手段の画像データの残りの部分とを関連付ける関連情報及び当該画像データのファクシミリ通信に関する管理情報を所定の小ノイズ・少消費電力の記憶手段に記憶する分割蓄積処理を実行し、当該関連情報と前記管理情報に基づいて当該画像データを管理して、当該画像データのファクシミリ送信を行うとともに、当該ファクシミリ送信が正常終了するか、必要に応じて所定回数の再送信を行った後に送信失敗で終了すると、当該関連情報に基づいて当該画像データの消去処理を行うことを特徴とする請求項１記載のファクシミリ装置。
【請求項３】
前記ファクシミリ装置は、前記待ち時間の間に、前記記憶手段の前記関連情報に基づいて、前記小ノイズ・少消費電力型蓄積手段に蓄積した前記画像データの残り部分を、前記前記小ノイズ・少消費電力型蓄積手段以外の前記蓄積手段に分割転送して蓄積させるとともに、再度、当該蓄積手段から前記小ノイズ・少消費電力型蓄積手段に分割転送することを特徴とする請求項２記載のファクシミリ装置。
【請求項４】
前記ファクシミリ装置は、画像データを複数の圧縮方式で圧縮する圧縮手段を備え、前記蓄積手段に蓄積する画像データを、当該画像データの圧縮方式に応じて、当該画像の内容を判別可能な所定量の前部分と当該前部分より以降の後部分とに分割し、当該前部分と当該後部分とを関連付ける関連情報と当該画像データのヘッダー部分及び当該前部分を、前記記憶手段に記憶し、前記後部分を、前記待ち時間に基づいて前記小ノイズ・少消費電力型蓄積手段と前記小ノイズ・少消費電力型蓄積手段以外の前記蓄積手段とに分割して蓄積することを特徴とする請求項２または請求項３に記載のファクシミリ装置。
【請求項５】
前記ファクシミリ装置は、前記画像データのファクシミリ送信が正常終了するか、必要に応じて所定回数の再送信を行った後に送信失敗で終了すると、前記画像データを消去するとともに、前記前部分を記載した当該画像データの消去を通知する消去レポートを記録出力することを特著とする請求項４記載のファクシミリ装置。
【発明の詳細な説明】
【技術分野】
【０００１】
本発明は、ファクシミリ装置に関し、詳細には、小ノイズ・低消費電力型メモリと多ノイズ・高消費電力型メモリを使い分けて小ノイズで低消費電力のメモリ送信を実現するファクシミリ装置に関する。
【背景技術】
【０００２】
従来、ファクシミリ装置等においては、画像データを受信すると、受信画像をそのままそのサイズや所定サイズの記録紙に記録して出力するようになっている。
【０００３】
そして、従来、画像蓄積部を備えて、スキャナで読み取った原稿の画像データを一旦画像蓄積部に蓄積した後、送信し、また、受信画像データを一旦画像蓄積部に蓄積した後、プロッタで用紙に記録出力する蓄積機能を備えたファクシミリ装置が出現している。
【０００４】
このような従来技術としては、例えば、画像データを符号化して蓄積手段に蓄積するとともに、当該符号化した蓄積手段の画像データを相手先の認識可能な符号化方式に符号化し直して送信し、また、相手先から受信した符号化された画像データを符号化し直して蓄積手段に蓄積し、また、符号化、復号化タイミングを適宜調整する符号化復号化装置（特許文献１参照）。
【０００５】
すなわち、この従来技術は、蓄積の媒体としては、蓄積容量、着脱可否等により、複数の蓄積媒体から選択できるようにしているが、選択の方法としては、容量が大きいか、小さいかや、持ち運びできる媒体かどうか等であり、画像データの大きさに応じて、ユーザが、適宜な容量の蓄積媒体を選択したり、外出等で持ち出しする必要があるか否かで、蓄積媒体を選択できるようになっている。
【０００６】
また、本出願人は、先に、画像メモリに蓄積した画情報について、蓄積しておく必要があるかどうかを送受信の種類等に基づいて判断し、画像メモリの空き容量が少なくなると、各画情報に対して、所定期間内の使用状況に基づいて選択的に消去するか否か判断して、消去と蓄積の継続を行うファクシミリ装置を提案している（特許文献２参照）。
【０００７】
【特許文献１】特許第２８１７４４８号公報
【特許文献２】特許第３４７６５６３号公報
【発明の開示】
【発明が解決しようとする課題】
【０００８】
しかしながら、上記従来技術にあっては、より少ないノイズ、より少ない消費電力で蓄積手段を利用する上で、改良の必要があった。
【０００９】
すなわち、特許文献１記載の従来技術にあっては、蓄積媒体の数が増えれば増えるほどデータ信号が複雑多岐になり、発生するノイズが大きくなるとともに、消費電力も増大するという問題があった。
【００１０】
また、特許文献２記載の従来技術にあっては、蓄積媒体が、たとえ１つであっても、ランダムに消去を行う場合には、使用するデータバス信号が多岐になり、大きなノイズが発生してしまうおそれがあり、改良の必要があった。
【００１１】
そこで、本発明は、発生ノイズ、消費電力の異なる複数の蓄積手段を送信までの待ち時間に基づいて適宜選択して画像データを蓄積することで、より消費電力が少なく、かつ、発生ノイズの少ないファクシミリ装置を提供することを目的としている。
【課題を解決するための手段】
【００１２】
請求項１記載の発明のファクシミリ装置は、画像データを蓄積手段に一旦蓄積した後、ファクシミリ送信するファクシミリ装置において、少なくとも、比較的発生ノイズ及び消費電力の少ない小ノイズ・少消費電力型蓄積手段を含む複数の蓄積手段と、当該小ノイズ・少消費電力型蓄積手段の画像データを比較的発生ノイズ及び消費電力を抑制して消去する小ノイズ・少消費電力型消去手段と、を備え、画像データを前記蓄積手段に蓄積してから送信するまでの待ち時間に基づいて当該複数の蓄積手段の１つを選択して、当該選択した蓄積手段に前記画像データを蓄積し、前記待ち時間が経過すると、前記蓄積手段の前記画像データをファクシミリ送信し、当該ファクシミリ送信が正常終了するか、必要に応じて所定回数の再送信を行った後に送信失敗で終了すると、当該蓄積手段の前記画像データを消去するとともに、当該画像データを蓄積した前記蓄積手段が前記小ノイズ・少消費電力型蓄積手段であると、前記小ノイズ・少消費電力型消去手段で当該小ノイズ・少消費電力型蓄積手段から前記画像データを消去することにより、上記目的を達成している。
【００１３】
この場合、例えば、請求項２に記載するように、前記ファクシミリ装置は、前記待ち時間に基づいて前記小ノイズ・少消費電力型蓄積手段以外の前記蓄積手段を選択すると、当該小ノイズ・少消費電力型蓄積手段以外の蓄積手段には、前記画像データのヘッダー部分を蓄積し、当該画像データの残り部分を前記小ノイズ・少消費電力型蓄積手段に蓄積し、当該小ノイズ・少消費電力型蓄積手段以外の蓄積手段の画像データのヘッダー部分と当該小ノイズ・少消費電力型蓄積手段の画像データの残りの部分とを関連付ける関連情報及び当該画像データのファクシミリ通信に関する管理情報を所定の小ノイズ・少消費電力の記憶手段に記憶する分割蓄積処理を実行し、当該関連情報と前記管理情報に基づいて当該画像データを管理して、当該画像データのファクシミリ送信を行うとともに、当該ファクシミリ送信が正常終了するか、必要に応じて所定回数の再送信を行った後に送信失敗で終了すると、当該関連情報に基づいて当該画像データの消去処理を行うものであってもよい。
【００１４】
また、例えば、請求項３に記載するように、前記ファクシミリ装置は、前記待ち時間の間に、前記記憶手段の前記関連情報に基づいて、前記小ノイズ・少消費電力型蓄積手段に蓄積した前記画像データの残り部分を、前記前記小ノイズ・少消費電力型蓄積手段以外の前記蓄積手段に分割転送して蓄積させるとともに、再度、当該蓄積手段から前記小ノイズ・少消費電力型蓄積手段に分割転送するものであってもよい。
【００１５】
さらに、例えば、請求項４に記載するように、前記ファクシミリ装置は、画像データを複数の圧縮方式で圧縮する圧縮手段を備え、前記蓄積手段に蓄積する画像データを、当該画像データの圧縮方式に応じて、当該画像の内容を判別可能な所定量の前部分と当該前部分より以降の後部分とに分割し、当該前部分と当該後部分とを関連付ける関連情報と当該画像データのヘッダー部分及び当該前部分を、前記記憶手段に記憶し、前記後部分を、前記待ち時間に基づいて前記小ノイズ・少消費電力型蓄積手段と前記小ノイズ・少消費電力型蓄積手段以外の前記蓄積手段とに分割して蓄積するものであってもよい。
【００１６】
また、例えば、請求項５に記載するように、前記ファクシミリ装置は、前記画像データのファクシミリ送信が正常終了するか、必要に応じて所定回数の再送信を行った後に送信失敗で終了すると、前記画像データを消去するとともに、前記前部分を記載した当該画像データの消去を通知する消去レポートを記録出力するものであってもよい。
【発明の効果】
【００１７】
本発明のファクシミリ装置によれば、画像データを蓄積手段に蓄積してから送信するまでの待ち時間に基づいて、小ノイズ・少消費電力型蓄積手段を含む複数の蓄積手段から１つを選択して、当該選択した蓄積手段に画像データを蓄積し、待ち時間が経過してファクシミリ送信またはファクシミリ送信失敗して、蓄積手段の画像データを消去するときに、当該画像データを蓄積した蓄積手段が小ノイズ・少消費電力型蓄積手段であると、小ノイズ・少消費電力型消去手段で当該小ノイズ・少消費電力型蓄積手段から画像データを消去するので、画像データの蓄積時と消去時の双方で、効率的に消費電力を削減することができるとともに、ノイズの発生を抑制することができる。
【発明を実施するための最良の形態】
【００１８】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１９】
図１及び図２は、本発明のファクシミリ装置の第１実施例を示す図であり、図１は、本発明のファクシミリ装置の第１実施例を適用したファクシミリ装置１のブロック構成図である。
【００２０】
図１において、ファクシミリ装置１は、コピー制御部１０、通信制御部３０及び電源供給部５０等にブロック構成されており、ファクシミリ通信機能、コピー機能、ファクシミリ通信機能、データ通信機能等の各種機能を実行する。
【００２１】
コピー制御部１０は、メインＣＰＵ（Central Processing Unit)１１、ＲＯＭ（Read Only Memory）１２、ＲＡＭ（Random Access Memory )１３、ワークＲＡＭ１４、圧縮伸長制御部１５、大容量メモリ１６、操作パネル制御部１７、操作パネル１８、スキャナ制御部１９、スキャナ２０、プリンタ制御部２１、プリンタ２２、ＩＯ制御部２３及び各種ＩＯ２４等を備えており、上記各部はバス２５で接続され、また、バス２５に接続されているブリッジ６０を介して通信制御部５０と接続されている。
【００２２】
ＲＯＭ１２には、ファクシミリ装置１としての基本プログラムや後述するメモリ制御処理プログラム等の各種プログラム及びこれらの各プログラムを実行するのに必要な各種データが格納されている。
【００２３】
ＲＡＭ１３は、情報蓄積用のメモリであり、電池２６でバックアップされていて、各種情報をファクシミリ装置１の電源がオフされた場合や停電の場合にも保持する。
【００２４】
ワークＲＡＭ１４は、メインＣＰＵ１１によりデータ処理のワーク領域として使用される。
【００２５】
メインＣＰＵ１１は、ＲＯＭ１２内のプログラムに基づいて、ワークＲＡＭ１４をデータ処理で使用しつつ、コピー制御部１０の各部及び後述する通信制御部３０の各部を制御して、操作パネル１８の制御、スキャナ２０の読み込み動作、プロッタ２２でのプリント出力等のファクシミリ装置１としての基本処理を実行するとともに、後述するメモリ制御処理を実行する。
【００２６】
圧縮伸長制御部（圧縮手段）１５は、画像データの大容量メモリ１６や通信制御部３０の通信データ蓄積メモリ３５への蓄積の効率化及び伝送時間の短縮化を図るためのものであり、所定の符号化方式に従って画像データを符号化し、また、符号化された画像データを復号化する。
【００２７】
大容量メモリ１６は、ＲＡＭあるいはハードディスク等で構成され、スキャナ制御部１９に接続されているスキャナ２０の読み取った原稿の画像データ及び受信した画像データ等を蓄積する。また、大容量メモリ１６は、コピー時のファイリング処理を行うためのデータ処理、特に、圧縮処理に利用される。
【００２８】
操作パネル制御部１７には、操作パネル１８が接続されており、操作パネル１８は、テンキーやスタートキー等の各種操作キーを備えるとともに、ディスプレイ（例えば、液晶ディスプレイ）を備えている。操作パネル１８では、操作キーにより送信先の指定やその他の送信操作等の各種命令が入力操作され、ディスプレイには、操作キーで入力された各種命令内容やファクシミリ装置１からオペレータに通知する各種情報が表示される。そして、操作パネル制御部１７は、操作パネル１８での操作内容を取得して、メインＣＰＵ１１に出力し、また、メインＣＰＵ１１の制御下で、ディスプレイに上記各種情報を表示させる。
【００２９】
スキャナ制御部１９には、スキャナ２０が接続されており、スキャナ２０は、例えば、ＣＣＤ（Charge Coupled Device）を利用したイメージスキャナが利用されて、スキャナ制御部１９の制御下で動作して、原稿を走査して原稿の画像を所定の解像度で読み取る。スキャナ制御部１９は、メインＣＰＵ１１からの制御信号に応じて、スキャナ２０の動作を制御して、スキャナ２０により原稿の画像を読み取らせ、スキャナ２０の読み取った原稿の画像を大容量メモリ１６に転送する。
【００３０】
プロッタ制御部２１には、プロッタ２２が接続されており、プロッタ２２としては、例えば、電子写真方式等の記録装置が使用されている。プロッタ制御部２１は、大容量メモリ１６から転送されてくる画像データ（書込データ）やレポートデータ等に基づいてプロッタ２２を制御し、プロッタ２２により画像データに対応した画像やレポート等を記録紙に記録出力させる。
【００３１】
ＩＯ制御部２３には、用紙センサ、ドアセンサ、ヒーター温度センサ等の各種センサやモータ類等の各種ＩＯ２４が接続されており、ＩＯ制御部２３は、これらの各種ＩＯ２４との信号の授受を行って、受け取った信号をメインＣＰＵ１１に出力する。
【００３２】
通信制御部３０は、通信制御コントローラ３１、ＲＯＭ３２、ＲＡＭ３３、ワークＲＡＭ３４、通信データ蓄積メモリ３５、通信データ処理部３６、Ｇ３ｆａｘモデム３７、アナログ回線ＩＦ３８及びＬＡＮ制御部３９等を備えており、上記各部は、上記ブリッジ６０に接続されたバス４０に接続されている。すなわち、通信制御部３０には、通信ポートとして、アナログ回線ＩＦ３８を備えており、ネットワークポートとして、ＬＡＮ制御部３９を備えている。
【００３３】
ＲＯＭ３２には、通信制御部３０としての基本プログラム及びシステムデータ等が格納されており、ＲＡＭ（記憶手段）３３は、電池４１でバックアップされていて、各種情報をファクシミリ装置１の電源がオフされた場合や停電の場合にも保持する。ＲＡＭ３３には、特に、ＬＡＮに接続されているプリンタとファクシミリ装置１のプロッタ２２のＬＡＮ上のアドレス及びそのプリント言語が登録されるとともに、後述するメモリ制御処理での管理情報や関連情報を記憶し、通信制御コントローラ３１により管理される。
【００３４】
通信制御コントローラ３１は、ＲＯＭ３２内のプログラムに基づいて、ワークＲＡＭ３４を使用しつつ、通信制御部３０の各部を制御して通信制御部３０としての処理を実行する。
【００３５】
通信データ蓄積メモリ３５は、通信制御コントローラ３１の制御下で、送受信する通信データ等を蓄積する。
【００３６】
通信データ処理部３６は、通信制御コントローラ３１の制御下で、ワークＲＡＭ３４を使用して、送受信するデータを通信ポートに適した方式で圧縮処理及び受信データの伸長処理を行い、また、デジタル信号処理を行う。
【００３７】
ＬＡＮ制御部３９には、ＬＡＮ（Local Area Network）が接続されており、ＬＡＮ制御部３９は、ＬＡＮ上のパーソナルコンピュータやサーバ等の端末及びプリンタとの間でデータやコマンドをやり取りする。
【００３８】
Ｇ３ｆａｘモデム３７には、アナログ回線ＩＦ３８が接続されており、アナログ回線ＩＦ３８には、公衆回線網のアナログ電話網や内線網が接続されている。Ｇ３ｆａｘモデム３７は、通信制御コントローラ３１の制御下で動作して、送信信号の変調及び受信信号の復調を行うとともに、アナログ回線ＩＦ３８を介して相手ファクシミリ装置との間でＧ３ファクシミリ通信手順を実行する。
【００３９】
上記電源供給部５０は、電源コード５１に接続された直流電源供給部５２と電源コード５１と直流電源供給部５２との間に直列に接続されているメインスイッチ５３等を備えており、電源コード５１から供給される交流の商用電源を、直流電源供給部５２で各種電圧値の直流電源に変換して、ファクシミリ装置１の各部に供給するとともに、交流電源をモータ等に供給する。メインスイッチ５３は、オペレータによってオン／オフ操作されることによって、また、ＩＯ制御部２３の制御信号によってオン／オフ動作し、電源コード５１を介して供給される商用電源の直流電源供給部５２への供給と供給遮断を行う。
【００４０】
そして、上記通信データ蓄積メモリ３５は、図２に示すように、回路構成されており、２個のスリーステートバッファ７１、７２、小ノイズ・低消費電力・小容量型メモリ（ＭＥＭ＿１）７３、小ノイズ・低消費電力・小容量型メモリ（ＭＥＭ＿２）７４、スイッチ７５、７６及び多ノイズ・高消費電力・大容量型メモリ（ＭＥＭ＿３）７７等を備えている。
【００４１】
小ノイズ・低消費電力・小容量型メモリ（小サイズ・少消費電力型蓄積手段）７３、７４は、リード（読取）／ライト（書込）時に、比較的、消費電力が少なく、ＥＭＩ（Electromagnetic Interference：電磁妨害）ノイズが小さく、容量が小さいメモリであり、例えば、ＤＲＡＭ（Dynamic Random Access Memory）が用いられている。多ノイズ・高消費電力・大容量型メモリ（小サイズ・少消費電力型蓄積手段以外の蓄積手段）７７は、リード／ライト時に、比較的、消費電力が多く、ＥＭＩノイズが大きく、容量が大きいメモリであり、例えば、ハードディスク等が用いられている。
【００４２】
小ノイズ・低消費電力・小容量型メモリ７３、７４は、それぞれトライステートバッファ７１、７２を介してシステムバス４０に接続されており、信号ＳＥＬ１、ＳＥＬ２でスリーステートバッファ７１、７２とともにオン／オフされるスイッチ（小ノイズ・少消費電力型消去手段）７５、７６を介して電源Ｖ１、Ｖ２が供給される。
【００４３】
多ノイズ・高消費電力・大容量型メモリ７７は、図１の大容量メモリ１６を共用してもよい。
【００４４】
次に、本実施例の作用を説明する。本実施例のファクシミリ装置１は、画像データのメモリへの蓄積を適宜変更することで、低ノイズ、小消費電力を図っている。
【００４５】
すなわち、ファクシミリ装置１は、メモリ送信を行う場合、発呼までの時間間隔が短い場合には、信号ＳＥＬ１によりスイッチ７５をオンにして、送信データを、まず、小ノイズ・低消費電力・小容量型メモリ７３に蓄積する。その後、ファクシミリ装置１は、送信時刻になると、小ノイズ・低消費電力・小容量型メモリ７３から当該保存した送信データを読み出して、通常の送信手順に従ってファクシミリ送信し、ファクシミリ送信が正常終了すると、信号ＳＥＬ１によってスイッチ７５をオフにして、電源Ｖ１の小ノイズ・低消費電力・小容量型メモリ７３への供給を停止して、小ノイズ・低消費電力・小容量型メモリ７３内の送信データを消去する。
【００４６】
そして、この小ノイズ・低消費電力・小容量型メモリ７３の送信データの消去中に、送信動作が重なって発生すると、ファクシミリ装置１は、小ノイズ・低消費電力・小容量型メモリ７３の送信データの消去動作を実行しつつ、小ノイズ・低消費電力・小容量型メモリ７４を使用して、上記同様に、送信データの蓄積、送信処理及び消去動作処理を実行する。このように小ノイズ・低消費電力・小容量型メモリ７３、７４への電源Ｖ１、Ｖ２の供給をオフにして、小ノイズ・低消費電力・小容量型メモリ７３、７４に蓄積されている送信データを消去すると、例えば、ＦＦ（Ｈ）データで小ノイズ・低消費電力・小容量型メモリ７３、７４の送信データに対して上書きする場合よりも、消費電力を削減することができるとともに、ＥＭＩノイズを低減させることができる。
【００４７】
そして、ファクシミリ装置１は、上記発呼までの時間間隔の判別を、ファクシミリ装置１がファクシミリ機能として一般的に備えている発呼タイマの値を読み取ることで行い、この発呼タイマの時間である発呼までの時間間隔と予め小ノイズ・低消費電力・小容量型メモリ７３、７４への送信データの蓄積を選択するために設定されているメモリ選択時間とを比較することで、小ノイズ・低消費電力・小容量型メモリ７３、７４に送信データを保存するか否か決定する。
【００４８】
また、ファクシミリ装置１は、時刻指定送信等の比較的発呼時間までの時間間隔が長い場合には、送信データを、まず、多ノイズ・高消費電力・大容量型メモリ７７に蓄積する。そして、ファクシミリ装置１は、発呼までの間に、多ノイズ・高消費電力・大容量型メモリ７７に蓄積した送信データを、所定の少量づつ分割して、小ノイズ・低消費電力・小容量型メモリ７３または小ノイズ・低消費電力・小容量型メモリ７４に転送して保存するとともに、多ノイズ・高消費電力・大容量型メモリ７７内の送信データを消去し、発呼時間までの間に、多ノイズ・高消費電力・大容量型メモリ７７に蓄積した送信データを全て小ノイズ・低消費電力・小容量型メモリ７３または小ノイズ・低消費電力・小容量型メモリ７４に転送して保存する。
【００４９】
その後、発呼時間になると、上記同様に、小ノイズ・低消費電力・小容量型メモリ７３または小ノイズ・低消費電力・小容量型メモリ７４から上記保存した送信データを読み出して、通常の送信手順に従ってファクシミリ送信し、ファクシミリ送信が正常終了すると、信号ＳＥＬ１または信号ＳＥＬ２によってスイッチ７５またはスイッチ７６をオフにして、電源Ｖ１または電源Ｖ２の小ノイズ・低消費電力・小容量型メモリ７３または小ノイズ・低消費電力・小容量型メモリ７４への供給を停止して、小ノイズ・低消費電力・小容量型メモリ７３または小ノイズ・低消費電力・小容量型メモリ７４内の送信データを消去する。したがって、消費電力を削減しつつ、ノイズの発生を抑制することができる。
【００５０】
ファクシミリ装置１は、上記送信動作において、通信エラーが発生すると、リダイヤル等の数分間隔の待ち時間では、小ノイズ・低消費電力・小容量型メモリ７３または小ノイズ・低消費電力・小容量型メモリ７４に保存している送信データの消去を行うことなく、次のリダイヤル時間まで待ち、リダイヤル時間になると、再度、小ノイズ・低消費電力・小容量型メモリ７３または小ノイズ・低消費電力・小容量型メモリ７４の送信データの送信動作を行って、送信が正常に終了するか、予め設定されたリダイヤル回数だけリダイヤル動作を行っても送信を完了しないときには、上述のように、信号ＳＥＬ１または信号ＳＥＬ２によってスイッチ７５またはスイッチ７６をオフにして、電源Ｖ１または電源Ｖ２の小ノイズ・低消費電力・小容量型メモリ７３または小ノイズ・低消費電力・小容量型メモリ７４への供給を停止して、小ノイズ・低消費電力・小容量型メモリ７３または小ノイズ・低消費電力・小容量型メモリ７４内の送信データを消去する。
【００５１】
このように、本実施例のファクシミリ装置１は、画像データを蓄積してから送信するまでの待ち時間に基づいて複数の蓄積手段７３、７４、７７の１つを選択して、当該選択した蓄積手段７３、７４、７７に画像データを蓄積し、待ち時間が経過してファクシミリ送信またはファクシミリ送信失敗して、蓄積手段７３、７４、の画像データを消去するときに、当該画像データを蓄積した蓄積手段が小ノイズ・低消費電力・小容量型メモリ７３、７４であると、小ノイズ・少消費電力型消去手段であるスイッチ７５、７６で小ノイズ・低消費電力・小容量型メモリ７３、７４から画像データを消去している。
【００５２】
したがって、画像データの蓄積時と消去時の双方で、より消費電力を削減することができるとともに、ノイズの発生を抑制することができる。
【実施例２】
【００５３】
図３及び図４は、本発明のファクシミリ装置の第２実施例を示す図であり、図３は、本発明のファクシミリ装置の第２実施例を適用したファクシミリ装置の通信データ蓄積メモリ８０の回路構成図である。
【００５４】
なお、本実施例は、上記第１実施例のファクシミリ装置１と同様のファクシミリ装置に適用したものであり、本実施例の説明においては、上記第１実施例のファクシミリ装置１と同様の構成部分については、同一の符号を付してその詳細な説明を省略するとともに、図示しない部分についても、必要に応じて、第１実施例の説明で用いた符号をそのまま用いて説明する。
【００５５】
図３において、本実施例のファクシミリ装置１の通信データ蓄積メモリ８０は、第１実施例のファクシミリ装置１の通信データ蓄積メモリ３５と同様の２個のスリーステートバッファ７１、７２、小ノイズ・低消費電力・小容量型メモリ（ＭＥＭ＿１）７３、メモリ（ＭＥＭ＿２）７４、スイッチ７５、７６及び多ノイズ・高消費電力・大容量型メモリ（ＭＥＭ＿３）７７を備えているとともに、データ転送部８１等を備えており、データ転送部８１は、ＤＭＡＣ（Direct Memory Access Controller ：ＤＭＡコントローラ）８２、レジスタ（ＲＥＧ）８３、タイマ８４及びＰＲＯＭ（Programmable Read Only Memory）８５等を備えている。
【００５６】
ＰＲＯＭ８５は、データ転送制御プログラムを格納しており、データ転送部８１は、ＰＲＯＭ８５内のプログラムに基づいて、タイマ８４を利用して、小ノイズ・低消費電力・小容量型メモリ７３、７４と多ノイズ・高消費電力・大容量型メモリ７７を利用して送信データの分割して蓄積するとともに、データ転送を行う分割記憶・データ転送処理を行う。
【００５７】
本実施例のファクシミリ装置１は、時刻指定送信等のように比較的発呼までの時間間隔（待ち時間）が長い場合には、消費電力及び発生ノイズを抑制しつつ、多ノイズ・高消費電力・大容量型メモリ７７に送信データを蓄積する。
【００５８】
すなわち、通信制御コントローラ３１は、メモリ送信機能におけるファクシミリ通信の管理情報と多ノイズ・高消費電力・大容量型メモリ７７の位置データをＲＡＭ３３に記憶させるとともに、ヘッダーを多ノイズ・高消費電力・大容量型メモリ７７に記憶させる。次に、ファクシミリ装置１は、送信データのファクシミリ圧縮データを多ノイズ・高消費電力・大容量型メモリ７７のヘッダーの後に記憶させるのではなく、小ノイズ・低消費電力・小容量型メモリ７３または小ノイズ・低消費電力・小容量型メモリ７４に記憶させる。また、ファクシミリ装置１は、多ノイズ・高消費電力・大容量型メモリ７７と、小ノイズ・低消費電力・小容量型メモリ７３または小ノイズ・低消費電力・小容量型メモリ７４との位置関連及び通信管理情報のうちの時刻データを、データ転送部８１内部のレジスタ８３にも記憶させる。
【００５９】
そして、データ転送部８１は、ＰＲＯＭ８５のプログラムに基づいて、ＤＭＡＣ８２及びタイマ８４を動作させ、送信時刻の半分以内の（データの往復があるため）直接多ノイズ・高消費電力・大容量型メモリ７７に記憶させるより長い時間を掛けて、小ノイズ・低消費電力・小容量型メモリ７３または小ノイズ・低消費電力・小容量型メモリ７４から該当するデータを多ノイズ・高消費電力・大容量型メモリ７７に分割転送するとともに、転送済みデータを順次削除する。
【００６０】
そして、データ転送部８１は、上記多ノイズ・高消費電力・大容量型メモリ７７に転送した送信データを、送信時刻までの間に、小ノイズ・低消費電力・小容量型メモリ７３または小ノイズ・低消費電力・小容量型メモリ７４に分割転送するとともに、転送済みデータを順次削除する。
【００６１】
その後、送信時刻になると、ファクシミリ装置１は、上記第１実施例の場合と同様に、小ノイズ・低消費電力・小容量型メモリ７３または小ノイズ・低消費電力・小容量型メモリ７４から上記保存した送信データを読み出して、通常の送信手順に従ってファクシミリ送信し、ファクシミリ送信が正常終了するか、所定回数の再送信動作を行っても正常送信できないと、信号ＳＥＬ１または信号ＳＥＬ２によってスイッチ７５またはスイッチ７６をオフにして、電源Ｖ１または電源Ｖ２の小ノイズ・低消費電力・小容量型メモリ７３または小ノイズ・低消費電力・小容量型メモリ７４への供給を停止して、小ノイズ・低消費電力・小容量型メモリ７３または小ノイズ・低消費電力・小容量型メモリ７４内の送信データを消去する。
【００６２】
そして、ファクシミリ装置１は、上記メモリ間の送信データにおいては、以下のように分割転送を行ってもよい。すなわち、ファクシミリ装置１は、まず、データを、ファクシミリ送信やインターネットファクシミリ送信で送信するデータ形式、圧縮方式に応じて、画像データの画像の内容が判別可能な所定の先頭の部分のみである前部分と、それ以降のデータ部分である後部分（圧縮方式においては、前部分も含む全ての場合もある）とに分ける。そして、ファクシミリ装置１は、図４に示すように、圧縮方式Ａ、Ｂ、Ｃについて、上記前部分については、ａ、ｂ、ｃバイトと予め設定されていて、この前部分と後部分とのメモリ位置関係を、オフセットとして、ヘッダーの次に、オフセット（Offset_01等）を配置するデータ構造とし、前部分は、記憶手段であるＲＡＭ３３に格納し、後部分は、通信データ蓄積メモリ８０に格納する等のように、分割して蓄積する。データ転送部８１は、送信動作時、上記ＲＡＭ３３のヘッダーに基づいて、前部分と後部分を１つの圧縮データとして扱うようにして、通信のため通信データ処理部３６に送り、上記送信動作、消去動作を行う。
【００６３】
そして、ファクシミリ装置１は、通信が完了した場合や所定回数の再送信が失敗した場合等に、上記メモリ消去動作を行うが、ＲＡＭ３３に記憶した前部分については、メモリ消去のお知らせレポート（消去レポート）にイメージ展開して貼り付け、ユーザに確実にメモリ消去したことを分かりやすく通知する。
【００６４】
このように、本実施例のファクシミリ装置１は、待ち時間に基づいて多ノイズ・高消費電力・大容量型メモリ７７を選択すると、当該多ノイズ・高消費電力・大容量型メモリ７７には、画像データのヘッダー部分を蓄積し、当該画像データの残り部分を小ノイズ・低消費電力・小容量型メモリ７３、７４に蓄積し、多ノイズ・高消費電力・大容量型メモリ７７の画像データのヘッダー部分と小ノイズ・低消費電力・小容量型メモリ７３、７４の画像データの残りの部分とを関連付ける関連情報及び当該画像データのファクシミリ通信に関する管理情報を小ノイズ・少消費電力の記憶手段であるＲＡＭ３３に記憶する分割蓄積処理を実行し、当該関連情報と管理情報に基づいて当該画像データを管理して、当該画像データのファクシミリ送信を行うとともに、当該ファクシミリ送信が正常終了するか、必要に応じて所定回数の再送信を行った後に送信失敗で終了すると、当該関連情報に基づいて当該画像データの消去処理を行っている。
【００６５】
したがって、多ノイズ・高消費電力・大容量型メモリ７７に大量の画像データを蓄積することによって、瞬時に大きな消費電力が消費されることを防止することができ、送信までの待ち時間がある程度長いときにも、適切に消費電力を削減することができるとともに、頻繁にアクセスされる関連情報や管理情報を小ノイズ・低消費電力のＲＡＭ３３に記憶することで、消費電力をより一層削減しつつ、ノイズの発生を削減することができる。
【００６６】
また、本実施例のファクシミリ装置１は、待ち時間の間に、ＲＡＭ３３の関連情報に基づいて、小ノイズ・低消費電力・小容量型メモリ７３、７４に蓄積した画像データの残り部分を、多ノイズ・高消費電力・大容量型メモリ７７に分割転送して蓄積させるとともに、再度、多ノイズ・高消費電力・大容量型メモリ７７から小ノイズ・低消費電力・小容量型メモリ７３、７４に分割転送している。
【００６７】
したがって、多ノイズ・高消費電力・大容量型メモリ７７に大量の画像データを蓄積することによって、瞬時に大きな消費電力が消費されることを防止して、送信までの待ち時間がある程度長いときにも、適切に消費電力を削減することができるとともに、送信までの待ち時間が比較的長時間の場合に、小ノイズ・低消費電力・小容量型メモリ７３、７４の画像データを多ノイズ・高消費電力・大容量型メモリ７７に移すことで、小ノイズ・低消費電力・小容量型メモリ７３、７４を有効活用することができる。また、頻繁にアクセスされる関連情報や管理情報を小ノイズ・低消費電力のＲＡＭ３３に記憶することで、消費電力をより一層削減しつつ、ノイズの発生を削減することができる。
【００６８】
さらに、本実施例のファクシミリ装置１は、画像データを、画像データの圧縮方式に応じて、当該画像の内容を判別可能な所定量の前部分と当該前部分より以降の後部分とに分割し、当該前部分と当該後部分とを関連付ける関連情報と当該画像データのヘッダー部分及び当該前部分を、ＲＡＭ３３に記憶し、後部分を、待ち時間に基づいて小ノイズ・低消費電力・小容量型メモリ７３、７４と多ノイズ・高消費電力・大容量型メモリ７７に分割して蓄積している。
【００６９】
したがって、必要なときに前部分を操作パネル１８のディスプレイに表示させて、蓄積されている画像データの内容を確認する等を行うことができ、消費電力及び発生ノイズを抑制しつつ、利用性を向上させることができる。
【００７０】
また、本発明のファクシミリ装置１は、画像データのファクシミリ送信が正常終了するか、必要に応じて所定回数の再送信を行った後に送信失敗で終了すると、画像データを消去するとともに、前部分を記載した当該画像データの消去を通知する消去レポートを記録出力している。
【００７１】
したがって、消去された画像データの内容を消去レポートに記載される前部分で確認することができ、利用性を向上させることができる。
【００７２】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００７３】
データ品質を向上させつつ画像データをメモリ送信するとともに、消費電力を削減するファクシミリ装置に適用することができる。
【図面の簡単な説明】
【００７４】
【図１】本発明のファクシミリ装置の第１実施例を適用したファクシミリ装置のブロック構成図。
【図２】図１の通信データ蓄積メモリの回路構成図。
【図３】本発明のファクシミリ装置の第２実施例を適用したファクシミリ装置の通信データ蓄積メモリの回路構成図。
【図４】図３のファクシミリ装置におけるデータ分割転送でのデータの圧縮方式を示す図。
【符号の説明】
【００７５】
１  ファクシミリ装置
１０  コピー制御部
１１  メインＣＰＵ
１２  ＲＯＭ
１３  ＲＡＭ
１４  ワークＲＡＭ
１５  圧縮伸長制御部
１６  大容量メモリ
１７  操作パネル制御部
１８  操作パネル
１９  スキャナ制御部
２０  スキャナ
２１  プリンタ制御部
２２  プリンタ
２３  ＩＯ制御部
２４  各種ＩＯ
２５  バス
２６  電池
３０  通信制御部
３１  通信制御コントローラ
３２  ＲＯＭ
３３  ＲＡＭ
３４  ワークＲＡＭ
３５  通信データ蓄積メモリ
３６  通信データ処理部
３７  Ｇ３ｆａｘモデム
３８  アナログ回線ＩＦ
３９  ＬＡＮ制御部
４０  バス
４１  電池
５０  電源供給部
５１  電源コード
５２  直流電源供給部
５３  メインスイッチ
６０  ブリッジ
７１、７２  スリーステートバッファ
７３、７４  小ノイズ・低消費電力・小容量型メモリ
７５、７６  スイッチ
７７  多ノイズ・高消費電力・大容量型メモリ
８０  通信データ蓄積メモリ
８１  データ転送部
８２  ＤＭＡＣ
８３  レジスタ
８４  タイマ
８５  ＰＲＯＭ
【図１】
2006287854.tif 000003
【図２】
2006287854.tif 000004
【図３】
2006287854.tif 000005
【図４】
2006287854.tif 000006